(57)【要約】【課題】効率的にシェル要素を作成することのできる技術を提供する。【解決手段】複数のシェル要素を連続して作成するシェル要素作成装置であって、シェル要素を構成する節点をユーザに指定させる指定部と、指定された節点の履歴を記憶する記憶部と、シェル要素作成する作成部とを有し、作成部は、前回作成したシェル要素の構成節点の一部と、前回作成したシェル要素の構成節点が指定された後に指定された節点とを構成節点としてシェル要素を作成する。シェル要素が３角シェルであれば、新たに節点が１つ指定されるたびに、直前に指定された２つの節点とともに３角シェルを作成し、シェル要素が４角シェルであれば、新たに２つの節点が指定されるたびに、直前に指定された２つの節点とともに４角シェルを作成する。【選択図】図３
2008059070.tif 000002
【特許請求の範囲】
【請求項１】
複数のシェル要素を連続して作成するシェル要素作成装置であって、
シェル要素を構成する節点をユーザに指定させる指定部と、
指定された節点の履歴を記憶する記憶部と、
シェル要素を作成する作成部と、
を有し、
前記作成部は、前回作成したシェル要素の構成節点の一部と、前回作成したシェル要素の構成節点が指定された後に指定された節点とを構成節点としてシェル要素を作成する
ことを特徴とするシェル要素作成装置。
【請求項２】
前記作成部は、前記指定部によって所定の数の節点が指定されるたびに、該所定の数の節点と該所定の数の節点の直前に指定された少なくとも１つの節点とを構成節点としてシェル要素を作成する
ことを特徴とする請求項１に記載のシェル要素作成装置。
【請求項３】
前記作成部は、
前記指定部による節点の指定が終了した後にシェル要素の作成を開始するものであり、
指定された順序にしたがって前記記憶部から節点を読み出し、
所定の数の節点を前記記憶部から読み出すたびに、該所定の数の節点と該所定の数の節点の直前に指定された少なくとも１つの節点とを構成節点としてシェル要素を作成する
ことを特徴とする請求項１に記載のシェル要素作成装置。
【請求項４】
前記シェル要素は、３角シェルであり、
前記作成部は、節点が１つ指定または読み出されるたびに、該節点と該節点の直前に指定された２つの節点とを構成節点としてシェル要素を作成する
ことを特徴とする請求項２または３に記載のシェル要素作成装置。
【請求項５】
前記シェル要素は、４角シェルであり、
前記作成部は、節点が２つ指定または読み出されるたびに、該２つの節点と該２つの節点の直前に指定された２つの節点とを構成節点としてシェル要素を作成する
ことを特徴とする請求項２または３に記載のシェル要素作成装置。
【請求項６】
前記作成部は、構成節点の指定順序に応じて作成するシェル要素の表面および裏面を定義するものであり、シェル要素を１つ作成するたびに表面および裏面の判断基準を反転させる
ことを特徴とする請求項１〜５のいずれかに記載のシェル要素作成装置。
【請求項７】
節点を作成しつつ複数のシェル要素を連続して作成するシェル要素作成装置であって、
作成する節点の位置をユーザに指定させる指定部と、
作成された節点の履歴を記憶する記憶部と、
シェル要素を作成する作成部と、
を有し、
前記作成部は、前回作成したシェル要素の構成節点の一部と、前回作成したシェル要素の構成節点が作成された後に作成された節点とを構成節点としてシェル要素を作成する
ことを特徴とするシェル要素作成装置。
【請求項８】
複数のシェル要素を連続して作成するシェル要素作成方法であって、
情報処理装置が、
シェル要素を構成する節点をユーザに指定させるステップと、
指定された節点の履歴を記憶するステップと、
前回作成したシェル要素の構成節点の一部と、前回作成したシェル要素の構成節点が指定された後に指定された節点とを構成節点としてシェル要素を作成するステップと、
を実行することを特徴とするシェル要素作成方法。
【請求項９】
節点を作成しつつ複数のシェル要素を連続して作成するシェル要素作成方法であって、
情報処理装置が、
作成する節点の位置をユーザに指定させるステップと、
指定された位置に節点を作成するステップと、
作成された節点の履歴を記憶するステップと、
前回作成したシェル要素の構成節点の一部と、前回作成したシェル要素の構成節点が作成された後に作成された節点とを構成節点としてシェル要素を作成するステップと、
を実行することを特徴とするシェル要素作成方法。
【請求項１０】
複数のシェル要素を連続して作成するためのシェル要素作成プログラムであって、
情報処理装置に、
シェル要素を構成する節点をユーザに指定させるステップと、
指定された節点の履歴を記憶するステップと、
前回作成したシェル要素の構成節点の一部と、前回作成したシェル要素の構成節点が指定された後に指定された節点とを構成節点としてシェル要素を作成するステップと、
を実行させることを特徴とするシェル要素作成プログラム。
【請求項１１】
節点を作成しつつ複数のシェル要素を連続して作成するシェル要素作成プログラムであって、
情報処理装置に、
作成する節点の位置をユーザに指定させるステップと、
指定された位置に節点を作成するステップと、
作成された節点の履歴を記憶するステップと、
前回作成したシェル要素の構成節点の一部と、前回作成したシェル要素の構成節点が作成された後に作成された節点とを構成節点としてシェル要素を作成するステップと、
を実行させることを特徴とするシェル要素作成プログラム。
【発明の詳細な説明】
【技術分野】
【０００１】
本発明は、シェル要素からなる解析モデルを作成する技術に関する。
【背景技術】
【０００２】
剛体などの物理的特性を解析する場合、剛体内に定義した節点をつないで形成されるメッシュを作成し、メッシュ要素の各々、あるいは節点の各々に対して成立する方程式を連立させる解析法や、その解析法を用いた解析装置が用いられることが多い。ここで、薄板モデルは、２次元のメッシュ（シェル要素）でモデル化することが、計算規模や解析時間の点から有利である。このようなメッシュを自動的に生成するシステムは種々提案されている（特許文献１〜３）。
【０００３】
しかし、現実には全てのメッシュを自動的に作成できるわけではなく、手作業でメッシュを作成しなければならない場合がある。例えば、シェル要素にてモデルを作成する場合、図８に示すように、中立面（部材の板厚の中心の面）上にメッシュを生成するが、複数部材の接合面では隙間が空いてしまうため手作業でメッシュをつなぐ必要がある。具体的には、図９（ａ）に示すようにシェル要素に隙間がある状態から、図９（ｂ）に示すようにこの隙間を埋める作業を行う。従来は、節点１，２，３の３つの節点を選択してシェル要素ａを作成し、次に節点２，３，４の３つの節点を選択してシェル要素ｂを作成している。このように、各シェル要素を作成するために、シェル要素の構成節点（図９では３角シェルなので３つの節点）をそれぞれ選択している。
【特許文献１】特開２００４−１１８６４６号公報
【特許文献２】特開２００５−２１６０３８号公報
【特許文献３】特開平１０−７９０５１号公報
【発明の開示】
【発明が解決しようとする課題】
【０００４】
本発明の目的は、シェル要素を効率的に作成することのできる技術を提供することにある。
【課題を解決するための手段】
【０００５】
上記目的を達成するために本発明では、以下の手段または処理によってシェル要素の作成を行う。本発明に係るシェル要素作成装置は、複数のシェル要素を連続して作成するものであり、指定部と記憶部と作成部とを有する。
【０００６】
指定部は、シェル要素を構成する節点をユーザに指定させる。記憶部は、指定された節点の履歴を記憶する。記憶部は、例えば、節点を識別する識別子と指定された順番とを記憶するように構成される。
【０００７】
作成部は、ユーザによって指定された節点を基に連続してシェル要素を作成する。ここで、作成部は、前回作成したシェル要素の構成節点の一部と、前回作成したシェル要素の構成節点が指定された後に指定された節点とを構成節点としてシェル要素を作成する。
【０００８】
互いに隣接するシェル要素を連続して作成する場合、これらの隣接するシェル要素は複数の節点を共有することになる。本発明に係るシェル要素作成装置によれば、各シェル要素を作成するごとにこのような共有された節点を指定する必要がないため、節点を指定する回数を削減することができる。したがって、シェル要素の作成作業を効率化することが
できる。
【０００９】
なお、本発明における作成部は、指定部によって所定の数の節点が指定されるたびに、これら所定の数の節点と、これら所定の数の節点の直前に指定された少なくとも１つの節点とを構成節点としてシェル要素を作成する構成としても良い。この構成によれば、ユーザが指定部によって節点を指定すると、リアルタイムにシェル要素が作成されることになる。
【００１０】
また、本発明における作成部は、指定部による節点の指定が終了した後に一括してシェル要素を作成しても良い。この場合、作成部は、記憶部から指定された順序にしたがって節点を読み出し、所定の数の節点が記憶部から読み出されるたびに、これら所定の数の節点と、これら所定の数の節点の直前に指定された少なくとも１つの節点とを構成節点としてシェル要素を作成する。
【００１１】
より具体的には、シェル要素が３角シェルの場合、節点が１つ指定または読み出されるたびに、この１つの節点とこの１つの節点の直前に指定された２つの節点とを構成節点としてシェル要素を作成することが好ましい。
【００１２】
また、シェル要素が４角シェルの場合、節点が２つ指定または読み出されるたびに、この２つの節点とこの２つの節点の直前に指定された２つの節点とを構成節点としてシェル要素を作成することが好ましい。
【００１３】
また、作成部は、シェル要素を作成する際に、構成節点が指定された順序に応じて作成するシェル要素の表面および裏面を定義する構成とすることができる。例えば、作成部は、構成節点が反時計回りに指定された場合には手前側を表面とし、時計回りに指定された場合には手前側を裏面とすることができる。ここで、上記のように連続的にシェル要素の構成節点を指定していく構成では、時計回りの選択か反時計回りの選択かが交互に変わることになり、作成されるシェル要素の表面が隣接するシェル要素間で反対になってしまう。そこで、作成部は、シェル要素を１つ作成するたびに、表面および裏面の判断基準を反転させることが好ましい。このようにすれば、連続して作成されるシェル要素の表裏を整合させることができる。
【００１４】
なお、「シェル要素を構成する節点を指定する」というのは、既に存在している節点を指定（選択）することだけでなく、節点が存在しないモデルに節点を作成しつつシェル要素を作成する場合における、節点を作成する動作のことも含まれる。この場合、作成された節点が、シェル要素を構成する節点として指定された節点といえる。
【００１５】
すなわち、本発明は、節点を作成しつつ複数のシェル要素を連続して作成するシェル要素作成装置であって、作成する節点の位置をユーザに指定させる指定部と、作成された節点の履歴を記憶する記憶部と、シェル要素を作成する作成部と、を有し、前記作成部は、前回作成したシェル要素の構成節点の一部と、前回作成したシェル要素の構成節点が作成された後に作成された節点とを構成節点としてシェル要素を作成するシェル要素作成装置として捉えることもできる。
【００１６】
なお、本発明は、上記手段の少なくとも一部を有するシェル要素作成装置として捉えることができる。また、本発明は、上記処理の少なくとも一部を含むシェル要素作成方法、または、かかる方法を実現するためのプログラムとして捉えることもできる。上記手段および処理の各々は可能な限り互いに組み合わせて本発明を構成することができる。
【００１７】
例えば、本発明の一態様としてのシェル要素作成方法は、複数のシェル要素を連続して
作成するシェル要素作成方法であって、情報処理装置が、シェル要素を構成する節点をユーザに指定させるステップと、指定された節点の履歴を記憶するステップと、前回作成したシェル要素の構成節点の一部と、前回作成したシェル要素の構成節点が指定された後に指定された節点とを構成節点としてシェル要素を作成するステップと、を実行することを特徴とする。
【００１８】
また、本発明の一態様としてシェル要素作成方法は、節点を作成しつつ複数のシェル要素を連続して作成するシェル要素作成方法であって、情報処理装置が、作成する節点の位置をユーザに指定させるステップと、指定された位置に節点を作成するステップと、作成された節点の履歴を記憶するステップと、前回作成したシェル要素の構成節点の一部と、前回作成したシェル要素の構成節点が作成された後に作成された節点とを構成節点としてシェル要素を作成するステップと、を実行することを特徴とする。
【００１９】
また、本発明の一態様としてのシェル要素作成プログラムは、複数のシェル要素を連続して作成するためのシェル要素作成プログラムであって、情報処理装置に、シェル要素を構成する節点をユーザに指定させるステップと、指定された節点の履歴を記憶するステップと、前回作成したシェル要素の構成節点の一部と、前回作成したシェル要素の構成節点が指定された後に指定された節点とを構成節点としてシェル要素を作成するステップと、を実行させることを特徴とする。
【００２０】
また、本発明の一態様としてのシェル要素作成プログラムは、節点を作成しつつ複数のシェル要素を連続して作成するシェル要素作成プログラムであって、情報処理装置に、作成する節点の位置をユーザに指定させるステップと、指定された位置に節点を作成するステップと、作成された節点の履歴を記憶するステップと、前回作成したシェル要素の構成節点の一部と、前回作成したシェル要素の構成節点が作成された後に作成された節点とを構成節点としてシェル要素を作成するステップと、を実行させることを特徴とする。
【発明の効果】
【００２１】
本発明によれば、シェル要素を効率的に作成することが可能となる。
【発明を実施するための最良の形態】
【００２２】
以下に図面を参照して、この発明の好適な実施の形態を例示的に詳しく説明する。
【００２３】
（第１の実施形態）
＜構成＞
図１は、本実施形態に係るシェル要素作成装置１の機能構成を示す図である。図に示すように、シェル要素作成装置１は、モデルデータ記憶部１１、節点指定部１２、指定履歴記憶部１３、およびシェル要素作成部１４から構成される。
【００２４】
シェル要素作成装置１は、ハードウェア構成としては、バスを介して接続されたＣＰＵ（中央演算処理装置）、主記憶装置（ＲＡＭ）、補助記憶装置などを備える。シェル要素作成装置１における上記の各機能部は、補助記憶装置に記憶された各種のプログラム（ＯＳ、アプリケーション等）が主記憶装置にロードされＣＰＵによって実行されることにより実現される。なお、上記各機能部の一部または全部は、専用のチップとして構成されても良い。
【００２５】
以下、シェル要素作成装置１における各機能部について説明する。
【００２６】
モデルデータ記憶部１１は、ＲＡＭやハードディスク装置などの記憶装置によって構成される。モデルデータ記憶部１１は節点の位置情報を含むモデルデータを記憶する。なお
、シェル要素作成装置１にモデルデータを入力する方法には種々の方法が考えられるが、どのような方法でモデルデータが入力されても構わない。例えば、シェル要素作成装置１上で節点の位置情報を含むモデルデータを作成しても良く、節点の位置情報を含むモデルデータを外部から取得しても良い。
【００２７】
本実施形態においては、シェル要素作成装置１はＣＡＤデータを入力データとして受け取り、ＣＡＤデータから中立面を自動的に抽出して節点の位置を決定する。なお、この中立面の取得処理において、図９（ａ）に示したように、複数の部材の接合部においては互いの節点はつながれておらず、シェル要素に隙間が生じる。モデルデータ記憶部１１には、このようにして作成されたデータが記憶される。
【００２８】
なお、モデルデータ記憶部１１は、ハードディスクやＣＤ−ＲＯＭなどの記録媒体に記録されたモデルデータを読み込んで記憶しても良く、ネットワークを介して他の端末などから取得して記憶しても良い。
【００２９】
節点指定部１２は、モデルデータ記憶部１１に格納されているモデルデータの各節点から、シェル要素を構成する節点をユーザに指定させる。具体的には、モデルをＣＲＴや液晶ディスプレイなどの表示装置上に描画し、ユーザに、マウスなどの入力手段によってシェル要素を構成する節点を選択（指定）させる。
【００３０】
指定履歴記憶部１３は、節点指定部１２によって指定された節点のＩＤと指定された順番とを記憶する。
【００３１】
シェル要素作成部１４は、節点指定部１２によって指定された節点を構成節点とするシェル要素を作成する。ここで、シェル要素作成部１４は、指定履歴記憶部１３に記憶されている節点の指定履歴を参照することで、隣接するシェル要素間で重複する節点をユーザに重複して指定させることなくシェル要素を作成する。
【００３２】
＜処理フロー＞
以下、シェル要素作成部１４が行うシェル要素作成処理について詳しく説明する。なお、本実施形態でシェル要素作成部１４が作成するシェル要素は、３角シェルである。
【００３３】
図２は、シェル要素作成処理の流れを示すフローチャートである。まず、モデルデータ記憶部１１に記憶されているモデルデータを表示装置上に描画し、節点指定部１２を介してユーザにシェル要素を構成する節点を選択させる（Ｓ１０）。次に、節点が３つ選択されたか判定し（Ｓ１１）、３つ選択されていない場合（Ｓ１１−ＮＯ）には、Ｓ１０に戻って節点の選択を継続する。節点が３つ選択された場合（Ｓ１１−ＹＥＳ）には、選択された３つの節点から３角シェル要素を作成する（Ｓ１２）。このように、最初は３角シェルを構成する全ての節点が選択された後に、シェル要素を作成する。
【００３４】
次に、節点の選択が終了したかを判定し（Ｓ１３）、全ての節点について処理が終わった場合（Ｓ１３−ＹＥＳ）にはシェル要素作成処理を終了する。節点の選択がまだ続いている場合（Ｓ１３−ＮＯ）には、処理を続行する。
【００３５】
２つ目以降のシェル要素については、節点が１つ選択される（Ｓ１４）と、この節点とこの節点の直前に選択された２つの節点とを構成節点とするシェル要素を作成する（Ｓ１５）。
【００３６】
図３を例に説明すると、まず初めは節点１，２，３の３つの節点がこの順序で選択されると、これらの節点を構成節点とするシェル要素ａを作成する。その後は、節点４が選択
されると、節点４とその直前に選択された２つの節点（節点２，３）とを構成節点とするシェル要素ｂを作成する。さらに、節点５が選択されると、節点５とその直前に選択された２つの節点（節点３，４）とを構成節点とするシェル要素ｃを作成する。
【００３７】
このように、本実施形態に係るシェル要素作成処理では、隣接シェル要素間で共通する節点については、ユーザに再度選択させることなく、シェル要素を作成している。具体的には、２つ目以降に作成するシェル要素については、新たな節点が選択されるたびに、直前に選択された２つの節点（すなわち、前回作成したシェル要素の構成節点の一部）と、新たに選択された節点とを構成節点とするシェル要素を作成している。
【００３８】
このような構成によると、ユーザは重複する節点を選択する手間を省けるのでシェル要素の作成が効率化される。従来のように、各シェルの構成節点を毎回選択する従来方法の場合、図３に示すように、３つの３角シェルを作成するのに９回節点を選択する必要が生じる。これに対して本実施形態に係る方法によれば、３つの３角シェルを作成するのに節点を５回選択するだけで良くなる。
【００３９】
（第２の実施形態）
次に、本発明の第２の実施形態について説明する。本実施形態が第１の実施形態と異なる点は、シェル要素作成部１４が作成するシェル要素が３角シェルではなく４角シェルであるという点である。
【００４０】
図４は、シェル要素作成部１４が行うシェル要素作成処理のフローチャートである。最初に作成するシェル要素については、４つの節点が選択されてからシェル要素を作成する（Ｓ２０〜Ｓ２２）。２つ目以降のシェル要素については、新たに節点が２つ選択されるたびに、新たに選択された２つの節点と、この節点の直前に選択された２つの節点とを構成節点とする４角シェルを作成する（Ｓ２４〜Ｓ２６）。
【００４１】
図５を例に説明すると、まず初めは節点１，２，３，４の４つの節点がこの順序で選択されると、これらの節点を構成節点とするシェル要素ａを作成する。その後は、節点５，６の２つの節点が選択されると、これらの節点５，６と、その直前に選択された２つの節点（節点３，４）を構成節点とするシェル要素ｂを作成する。さらに、節点７，８の２つの節点が選択されると、これらの節点７，８と、その直前に選択された２つの節点（節点５，６）とを構成節点とするシェル要素ｃを作成する。
【００４２】
このように、シェル要素を４角シェルとした場合も第１の実施形態と同様にシェル要素作成処理において、隣接するシェル要素間で重複する節点を重複して選択する必要がなくなるので、シェル要素作成処理が効率化される。なお、図５に示すように、各シェルの構成節点を毎回選択する従来の方法の場合、３つの４角シェルを作成するのに１２回節点を選択する必要があるのに対して、本実施形態に係る方法によれば３つの４角シェルを作成するのに節点を８回選択するだけで良くなる。
【００４３】
（第３の実施形態）
次に、本発明の第３の実施形態について説明する。上記第１および第２の実施形態では、節点指定部１２によって新たに節点が１つあるいは２つ選択されるたびに、新しいシェル要素を作成していた。本実施形態においては、まず、節点指定部１２を用いてユーザにシェル要素を構成する節点を全て指定させ、指定の履歴は指定履歴記憶部１３に記憶しておく。そして、全ての節点が指定された後に、シェル要素作成部１４が、指定履歴記憶部１３から指定履歴を古いものから順に読み出して、シェル要素を作成する。なお、シェル要素作成処理の基本的な部分は上記第１および第２の実施形態と同様であるため詳細な説明は省略する。
【００４４】
このような構成によっても、上記第１および第２の実施形態と同様の効果を得ることができる。
【００４５】
（第４の実施形態）
次に、本発明の第３の実施形態について説明する。本実施形態が上記実施形態と異なる点は、シェル要素作成部１４が作成するシェル要素の表面・裏面の判断基準を可変にする点である。
【００４６】
シェル要素の表裏は解析条件として重要である。従来のシェル要素作成装置では、シェル要素の構成節点として選択した順序にしたがって、そのシェル要素の表裏を定義している。図６（ａ）に示すように、従来は、表面からシェル要素を見たときに構成節点の選択順序が一定の選択順序（図６では反時計回りであるが、時計回りであっても良い）になるように、シェル要素の表裏を定義している。このような基準にしたがって、第１の実施形態におけるシェル要素作成処理においてシェル要素の表裏を定義すると、図６（ｂ）に示すように、作成されるシェル要素の順番にしたがって、表裏が反対側になってしまう。
【００４７】
そこで、本実施形態では図７（ａ）に示すように、作成するシェル要素が奇数個目か偶数個目かによって、シェル要素の表裏の定義基準を反転させている。すなわち、奇数個目のシェル要素に対しては表面からシェル要素を見ると構成節点が反時計回りに選択されているように表面を定義し、偶数個目のシェル要素に対しては表面からシェル要素を見ると構成節点が時計回りに選択されているように表面を定義する。
【００４８】
このように、シェル要素の表面裏面の定義基準をシェル要素の作成順に応じて可変とすることで、図７（ｂ）に示すように、第１の実施形態に係る方法でシェル要素を作成した場合でも、シェル要素の表面裏面の整合が取れるようになる。
【００４９】
なお、ここでは３角シェルを用いる第１の実施形態に適用した場合で説明したが、４角シェルを用いる第２の実施形態に適用しても同様の効果を得ることができる。
【００５０】
（第５の実施形態）
次に、本発明の第５の実施形態について説明する。上記の実施形態では、節点の位置が含まれているモデルデータを用い、シェル要素を構成する節点をモデルデータに含まれる節点から選択してシェル要素を作成していた。本実施形態においては、モデルデータに節点を作成しつつ、シェル要素を作成する。
【００５１】
本実施形態においては、モデル上に節点を作成しつつ、その作成された順序にしたがってシェル要素を作成する。まず初めは、ユーザが３つの節点を新たに作成したときに、これらの３つの節点を構成節点とするシェル要素（３角シェル）を作成する。次に、新たな節点をもう１つ作成したときは、この節点とその直前に作成された２つの節点を構成節点とするシェル要素を作成する。
【００５２】
このようにして、モデル上に節点を作成すると同時に、シェル要素を作成することで、節点の作成とシェル要素の作成を別々に行う場合に比べて、作業効率が向上する。
【００５３】
なお、ここではシェル要素として３角シェルを例に説明したが、４角シェルの場合であっても第２の実施形態で説明した方法と同様の方法によってシェル要素を作成することができる。
【図面の簡単な説明】
【００５４】
【図１】シェル要素作成装置の機能ブロックを示す図である。
【図２】第１の実施形態におけるシェル要素作成処理の流れを示すフローチャートである。
【図３】第１の実施形態におけるシェル要素作成処理と従来技術とを比較する図である。
【図４】第２の実施形態におけるシェル要素作成処理の流れを示すフローチャートである。
【図５】第２の実施形態におけるシェル要素作成処理と従来技術とを比較する図である。
【図６】従来のシェル要素の表裏の判断基準と、この基準にしたがって作成した場合のシェル要素の表裏を示す図である。
【図７】第４の実施形態におけるシェル要素の裏表の判断基準と、この基準にしたがって作成した場合のシェル要素の表裏を示す図である。
【図８】中立面抽出処理の例を説明する図である。
【図９】シェル要素間に隙間があるメッシュデータと、この隙間を埋めたメッシュデータとを示す図である。
【符号の説明】
【００５５】
１    シェル要素作成装置
１１  モデルデータ記憶部
１２  節点指定部
１３  指定履歴記憶部
１４  シェル要素作成部
【図１】
2008059070.tif 000003
【図２】
2008059070.tif 000004
【図３】
2008059070.tif 000005
【図４】
2008059070.tif 000006
【図５】
2008059070.tif 000007
【図６】
2008059070.tif 000008
【図７】
2008059070.tif 000009
【図８】
2008059070.tif 000010
【図９】
2008059070.tif 000011